(57)【要約】【課題】通信機能付コネクタ装置の小型化を図ることができると共に、接続部分が剥き出しとなるのを防止できる技術を提供すること。【解決手段】コネクタハウジング１２は、各分割ハウジング２０，３０に２分割されている。各分割ハウジング２０，３０の内面には、所定の回路パターン２４，３４が形成されると共に電子部品が実装されている。各分割ハウジング２０，３０の外壁部２１，３１の端部に、嵌合凸部２２及び嵌合凹部３２が形成され、これらの表面に、嵌合状態で互いに接触可能な接点部２５，３５が形成されている。【選択図】図５
2005339866.tif 000002
【特許請求の範囲】
【請求項１】
外部配線と電子機器とに接続される通信機能付コネクタ装置であって、
複数の分割ハウジングの合体により構成されるコネクタハウジングと、
前記各分割ハウジングのそれぞれの内面側に形成された所定の回路パターンと、前記各分割ハウジングのそれぞれの内面側に実装された電子部品とで構成される制御回路部と、
を備え、
前記各分割ハウジングに、その合体形態で嵌合し合う嵌合凸部及び嵌合凹部が形成されると共に、前記嵌合凸部及び前記嵌合凹部のそれぞれに、それらの嵌合状態で接触し合う一対の接点部が形成され、
前記合体形態で、前記嵌合凸部と前記嵌合凹部とが嵌合し合って、前記一対の接点部同士が接触することにより、前記各分割ハウジングに形成された所定の回路パターン同士が電気的に接続される、通信機能付コネクタ装置。
【請求項２】
請求項１記載の通信機能付コネクタ装置であって、
前記嵌合凸部及び前記嵌合凹部は、前記各分割ハウジングの外壁部の端部に形成されている、通信機能付コネクタ装置。
【請求項３】
請求項１又は請求項２記載の通信機能付コネクタ装置であって、
前記嵌合凸部及び前記嵌合凹部は、それらの嵌入方向に沿って延在し、それらの嵌入に際して互いに摺接し合うように形成された接触面をそれぞれ有し、
前記一対の接点部は、前記各接触面に形成されている、通信機能付コネクタ装置。
【請求項４】
請求項１〜請求項３のいずれかに記載の通信機能付コネクタ装置であって、
前記一対の接点部のうち少なくとも一方は、突起状部分を有している、通信機能付コネクタ装置。
【請求項５】
外部配線と電子機器とに接続される通信機能付コネクタ装置であって、
複数の分割ハウジングの合体により構成されるコネクタハウジングと、
前記各分割ハウジングのそれぞれの内面側に形成された所定の回路パターンと、前記各分割ハウジングのそれぞれの内面側に実装された電子部品とで構成される制御回路部と、
を備え、
前記各分割ハウジングに一対の嵌合凹部が形成されると共に、前記一対の嵌合凹部に嵌合する中継嵌合部材が設けられ、
前記一対の嵌合凹部のそれぞれに一対の接点部が形成されると共に、前記中継嵌合部材に前記一対の嵌合凹部への嵌合状態で、前記一対の接点部に接触可能な中継接点部が形成され、
前記各分割ハウジングの合体形態で、前記中継嵌合部材が前記一対の嵌合凹部に嵌合して、前記中継接点部が前記一対の接点部にそれぞれ接触することにより、前記各分割ハウジングに形成された所定の回路パターン同士が電気的に接続される、通信機能付コネクタ装置。
【請求項６】
請求項５記載の通信機能付コネクタ装置であって、
前記嵌合凹部は、前記各分割ハウジングの外壁部の端部に形成されている、通信機能付コネクタ装置。
【請求項７】
請求項５又は請求項６記載の通信機能付コネクタ装置であって、
前記嵌合凹部及び前記中継嵌合部材は、それらの嵌入方向に沿って延在し、それらの嵌入に際して互いに摺接し合うように形成された接触面をそれぞれ有し、
前記一対の接点部及び前記中継接点部は、前記各接触面に形成されている、通信機能付コネクタ装置。
【請求項８】
請求項５〜請求項７のいずれかに記載の通信機能付コネクタ装置であって、
前記一対の接点部及び前記中継接点部のうち少なくとも一つは、突起状部分を有している、通信機能付コネクタ装置。
【発明の詳細な説明】
【技術分野】
【０００１】
この発明は、通信機能を組込んだ通信機能付コネクタ装置に関するものである。
【背景技術】
【０００２】
近年、自動車の低燃費性向上、乗員の快適性向上といった機能を充実させる目的で、車両に搭載される負荷やセンサ等の電子機器数は増加する一途にある。
【０００３】
これに伴い、ワイヤーハーネスの回路数も増加しているが、ワイヤーハーネスの配索スペースの制約から、回路数の削減が要求されている。
【０００４】
その方策のひとつとして、信号多重化による信号線の削減がある。これに対応するため、負荷制御等を行う制御回路及び通信制御回路を組込んだ通信機能付コネクタ装置を、電子制御装置（ＥＣＵ）、モータ等の各種負荷、センサ等に接続した技術が考えられている。
【０００５】
この種の通信機能付コネクタ装置は、例えば、電子制御装置に接続されると共に、所定の通信ラインを介して他の電子制御装置に接続される。これにより、車内で、複数の電子制御装置による通信ネットワークを構成する。そして、各通信機能付コネクタ装置間で、所定のプロトコル（例えばＣＡＮ等）に従い、データ通信を行う。あるいは、各電装機器に接続されると共に、所定の通信ラインを介して電子制御装置に接続される。そして、電子制御装置と各通信機能付コネクタ装置との間で多重通信を行い、各通信機能付コネクタ装置が、電子制御装置からの制御指令に基づいて各負荷制御を行ったり、また、センサからの出力を受けてこれを電子制御装置に与える構成となっている。
【０００６】
ところで、上記のような通信機能付コネクタ装置では、所定の通信制御機能を持たせるために、制御用ＩＣ等の電子部品を含む通信制御回路を組込んだ上で、小型化を図る必要がある。
【０００７】
そのための構成としては、コネクタハウジングの内面側にメッキ等により所定の回路パターンを形成してこれに電子部品を実装して、所定の制御回路を形成する構成が想定される。
【０００８】
この場合に、生産性の観点からすると、コネクタハウジングを２分割構成にし、それぞれの分割ハウジング内面にメッキ等で所定の回路パターンを形成すると共に、電子部品を実装した後、両分割ハウジングを合体させることが好ましい。
【０００９】
この場合、両分割ハウジングの回路を電気的に接続する構成としては、フレキシブルプリント回路基板（ＦＰＣ）やフレキシブルフラットケーブル（ＦＦＣ）等の柔軟性を持つ配線材を用いて接続する構成や、半田付により接続する構成等が考えられる。
【００１０】
なお、金属メッキにより所定の回路パターンを形成した技術は、特許文献１に開示されている。
【００１１】
【特許文献１】特開平７−２９４７７７号公報
【発明の開示】
【発明が解決しようとする課題】
【００１２】
しかしながら、ＦＰＣやＦＦＣ等の配線材を用いて接続する構成では、コネクタ装置の大型化を招くことになる。
【００１３】
また、半田付接続による構成では、該半田付部分が剥き出しになってしまうという問題がある。
【００１４】
そこで、本発明は、通信機能付コネクタ装置の小型化を図ることができると共に、接続部分が剥き出しとなるのを防止できる技術を提供することを目的とする。
【課題を解決するための手段】
【００１５】
この発明の第１の態様は、外部配線と電子機器とに接続される通信機能付コネクタ装置であって、複数の分割ハウジングの合体により構成されるコネクタハウジングと、前記各分割ハウジングのそれぞれの内面側に形成された所定の回路パターンと、前記各分割ハウジングのそれぞれの内面側に実装された電子部品とで構成される制御回路部と、を備え、前記各分割ハウジングに、その合体形態で嵌合し合う嵌合凸部及び嵌合凹部が形成されると共に、前記嵌合凸部及び前記嵌合凹部のそれぞれに、それらの嵌合状態で接触し合う一対の接点部が形成され、前記合体形態で、前記嵌合凸部と前記嵌合凹部とが嵌合し合って、前記一対の接点部同士が接触することにより、前記各分割ハウジングに形成された所定の回路パターン同士が電気的に接続されるものである。
【００１６】
この場合に、前記嵌合凸部及び前記嵌合凹部は、前記各分割ハウジングの外壁部の端部に形成されているとよい。
【００１７】
また、前記嵌合凸部及び前記嵌合凹部は、それらの嵌入方向に沿って延在し、それらの嵌入に際して互いに摺接し合うように形成された接触面をそれぞれ有し、前記一対の接点部は、前記各接触面に形成されているとよい。
【００１８】
さらに、前記一対の接点部のうち少なくとも一方は、突起状部分を有しているとよい。
【００１９】
また、この発明の第２の態様は、外部配線と電子機器とに接続される通信機能付コネクタ装置であって、複数の分割ハウジングの合体により構成されるコネクタハウジングと、前記各分割ハウジングのそれぞれの内面側に形成された所定の回路パターンと、前記各分割ハウジングのそれぞれの内面側に実装された電子部品とで構成される制御回路部と、を備え、前記各分割ハウジングに一対の嵌合凹部が形成されると共に、前記一対の嵌合凹部に嵌合する中継嵌合部材が設けられ、前記一対の嵌合凹部のそれぞれに一対の接点部が形成されると共に、前記中継嵌合部材に前記一対の嵌合凹部への嵌合状態で、前記一対の接点部に接触可能な中継接点部が形成され、前記各分割ハウジングの合体形態で、前記中継嵌合部材が前記一対の嵌合凹部に嵌合して、前記中継接点部が前記一対の接点部にそれぞれ接触することにより、前記各分割ハウジングに形成された所定の回路パターン同士が電気的に接続されるものである。
【００２０】
この場合に、前記嵌合凹部は、前記各分割ハウジングの外壁部の端部に形成されているとよい。
【００２１】
また、前記嵌合凹部及び前記中継嵌合部材は、それらの嵌入方向に沿って延在し、それらの嵌入に際して互いに摺接し合うように形成された接触面をそれぞれ有し、前記一対の接点部及び前記中継接点部は、前記各接触面に形成されているとよい。
【００２２】
さらに、前記一対の接点部及び前記中継接点部のうち少なくとも一つは、突起状部分を有しているとよい。
【発明の効果】
【００２３】
この発明の第１の態様に係る通信機能付コネクタ装置によると、各分割ハウジングに、その合体形態で嵌合し合う嵌合凸部及び嵌合凹部が形成されると共に、前記嵌合凸部及び前記嵌合凹部のそれぞれに、それらの嵌合状態で接触し合う一対の接点部が形成され、前記合体形態で、前記嵌合凸部と前記嵌合凹部とが嵌合し合って、前記一対の接点部同士が接触することにより、前記各分割ハウジングに形成された所定の回路パターン同士が電気的に接続されるため、ＦＦＣ等の配線材を用いることなく回路パターン同士を接続できる。このため、小型化を図ることができ、また、接点部は嵌合構造内に組込まれるため、その接続部分が剥き出しとなるのを防止できる。
【００２４】
また、前記嵌合凸部及び前記嵌合凹部は、前記各分割ハウジングの外壁部の端部に形成されているため、各分割ハウジングの外壁部の端部の接合構造を利用して、前記各分割ハウジングに形成された所定の回路パターン同士を電気的に接続することができ、構成の簡易化に貢献する。
【００２５】
また、前記嵌合凸部及び前記嵌合凹部は、それらの嵌入方向に沿って延在し、それらの嵌入に際して互いに摺接し合うように形成された接触面をそれぞれ有し、前記一対の接点部は、前記各接触面に形成されていると、それら一対の接点部の電気的な接触を確実にすることができる。
【００２６】
さらに、前記一対の接点部のうち少なくとも一方は、突起状部分を有していると、その突起状部分でもって接点部と相手側の接点部との接圧を高めて、両者の電気的な接続信頼性を高めることができる。
【００２７】
この発明の第２の態様に係る通信機能付コネクタ装置によると、前記各分割ハウジングに一対の嵌合凹部が形成されると共に、前記一対の嵌合凹部に嵌合する中継嵌合部材が設けられ、前記一対の嵌合凹部のそれぞれに一対の接点部が形成されると共に、前記中継嵌合部材に前記一対の嵌合凹部への嵌合状態で、前記一対の接点部に接触可能な中継接点部が形成され、前記各分割ハウジングの合体形態で、前記中継嵌合部材が前記一対の嵌合凹部に嵌合して、前記中継接点部が前記一対の接点部にそれぞれ接触することにより、前記各分割ハウジングに形成された所定の回路パターン同士が電気的に接続されるため、ＦＦＣ等の配線材を用いることなく回路パターン同士を接続できる。このため、小型化を図ることができ、また、接点部は嵌合構造内に組込まれるため、その接続部分が剥き出しとなるのを防止できる。
【００２８】
また、前記嵌合凹部は、前記各分割ハウジングの外壁部の端部に形成されているため、各分割ハウジングの外壁部の端部の接合構造を利用して、前記各分割ハウジングに形成された所定の回路パターン同士を電気的に接続することができ、構成の簡易化に貢献する。
【００２９】
また、前記嵌合凹部及び前記中継嵌合部材は、それらの嵌入方向に沿って延在し、それらの嵌入に際して互いに摺接し合うように形成された接触面をそれぞれ有し、前記一対の接点部及び中継接点部が、前記各接触面に形成されていると、それら一対の接点部の電気的な接触を確実にすることができる。
【００３０】
さらに、前記一対の接点部及び前記中継接点部のうち少なくとも一つは、突起状部分を有していると、その突起状部分でもって接点部と相手側の接点部との接圧を高めて、両者の電気的な接続信頼性を高めることができる。
【発明を実施するための最良の形態】
【００３１】
以下、この発明の実施形態に係る通信機能付コネクタ装置について説明する。
【００３２】
この通信機能付コネクタ装置は、外部配線と電子機器とに接続されるものである。接続先となる電子機器としては、電子制御装置（ＥＣＵ）や、各種アクチュエータやセンサ等の電装機器等が想定される。この通信機能付コネクタ装置の適用例としては、例えば、次の２つの例が考えられる。
【００３３】
図１は通信機能付コネクタ装置の第１適用例に係る車両制御システムを示す図である。
【００３４】
この制御システムは、複数のＥＣＵ２間で通信ネットワークを構成した例であり、即ち、接続ケーブル（外部配線）４に、電子機器としてのＥＣＵ（電子制御装置）２が複数接続されている。通信機能付コネクタ装置１０は、各ＥＣＵ２に設けられる図示しないコネクタ嵌合部に嵌合接続された状態で、各ＥＣＵ２と接続ケーブル４との間に介装される。そして、各通信機能付コネクタ装置１０に対して通信アドレスが設定されており、各ＥＣＵ２は、各通信機能付コネクタ装置１０を介して、ＣＡＮ等の所定のプロトコルに従って多重データ通信を行うようになっている。
【００３５】
図２は通信機能付コネクタ装置の第２適用例に係る車両制御システムを示す図である。
【００３６】
この制御システムは、接続ケーブル（外部配線）４に、制御装置としてのＥＣＵ（電子制御ユニット）２が接続されると共に、各種アクチュエータやセンサ等の複数の電装機器３がバス接続されて構成されている。通信機能付コネクタ装置１０は、電装機器３と接続ケーブル４との間に介装され、電装機器３に設けられる図示しないコネクタ嵌合部に嵌合接続されて、それらの電気的な接続及び機械的な固定が行われる。そして、各通信機能付コネクタ装置１０に対して通信アドレスが設定されており、各通信機能付コネクタ装置１０は、ＥＣＵ２から接続ケーブル４を介して多重化されて与えられる制御信号に基づいて電装機器３を制御し、或は、電装機器３側からの諸信号をＥＣＵ２側に与えるようになっている。
【００３７】
図３は、通信機能付コネクタ装置を示す斜視図であり、図４は通信機能付コネクタ装置の内部構成を示す分解斜視説明図である。
【００３８】
この通信機能付コネクタ装置１０は、コネクタハウジング１２と、制御回路部とを備えている。
【００３９】
コネクタハウジング１２は、内部に電子機器２，３との接続用の端子部や、所定の制御回路を構成するための電子部品１６等を収容可能な空間を有するボックス状に形成されている。
【００４０】
ここでは、コネクタハウジング１２は、扁平な筺状に形成されており、その一端部に端子部が組込まれることにより、電子機器２，３との接続用のコネクタ部１５が形成される。また、コネクタハウジング１２の他端部内に上記接続ケーブル４が導入されると共に、その内部で該接続ケーブル４の各電線が図示省略の圧接端子等に電気的に接続されている。
【００４１】
なお、電子機器２，３との接続構造及び接続ケーブル４の接続構造としては、周知の各種接続構造を適用できる。
【００４２】
また、このコネクタハウジング１２は、複数の分割ハウジング２０，３０の合体により構成されている。
【００４３】
ここでは、コネクタハウジング１２がその扁平方向に沿って２分割されることで、２つの分割ハウジング２０，３０が形成されている。なお、コネクタハウジング１２は、３つ以上に分割されていてもよいし、また、分割する位置に関しても、コネクタハウジング１２の縦方向に分割する等、上記分割形態に限られない。
【００４４】
各分割ハウジング２０，３０は、絶縁性樹脂のモールド成型品等、絶縁性材料により形成されている。
【００４５】
また、この分割ハウジング２０，３０の収容凹部２３，３３の内面には、所定の回路パターン２４，３４（回路パターン２４については図５参照）が形成されている。所定の回路パターン２４，３４は、例えば、金属メッキ等により形成されている。このように、樹脂等の立体成型品の表面に、導電性の所定の回路パターンを形成した部品は、ＭＩＤ（Molded Interconnect Device：立体成型回路部品）と呼ばれ、上述した金属メッキ等周知の種々の方法により製造できる。
【００４６】
さらに、各分割ハウジング２０，３０の収容凹部２３，３３の内面には、本通信機能付コネクタ装置の諸制御機能を実現するための電子部品１６（例えば、通信用ＩＣや負荷制御用ＩＣ等）が、その各端子を回路パターン２４，３４に接続するようにして実装されている。
【００４７】
そして、各分割ハウジング２０，３０に形成される所定の回路パターン２４，３４同士が適宜電気的に接続されることにより、当該所定の回路パターン２４，３４と上記実装された各電子部品１６とで、本通信機能付コネクタ装置の諸制御（例えば、通信制御や負荷制御等）を行うための制御回路部が構成されるようになっている。
【００４８】
このような通信機能付コネクタ装置１０では、分割ハウジング２０，３０の内面に回路パターン２４，３４を形成すると共に電子部品１６を実装しているため、別途他の実装基板等を組込む必要が無く、小型化が図られるという利点がある。また、分割ハウジング２０，３０に回路パターン２４，３４を形成すると共に電子部品１６を実装した後、これらを合体させているため、回路パターン２４，３４の形成や電子部品１６の実装も容易に行え、生産性に優れるという利点がある。
【００４９】
そして、本実施形態では、次の構成により、各分割ハウジング２０，３０の回路パターン２４，３４同士が電気的に接続されている。
【００５０】
図５は、各分割ハウジング２０，３０の回路パターン２４，３４同士の電気的な接続構造部分を示す斜視図であり、図６は同電気的な接続構造部分を示す断面図である。
【００５１】
すなわち、上記各分割ハウジング２０，３０に、その合体形態で嵌合し合う嵌合凸部２２及び嵌合凹部３２が形成されている。
【００５２】
ここでは、各分割ハウジング２０，３０の周囲を囲う外壁部２１，３１の各端部に、嵌合凸部２２及び嵌合凹部３２が形成されている。より具体的には、上側の分割ハウジング２０の３方を囲む外壁部２１の端部の内側よりの位置に、突条状の嵌合凸部２２が形成されている。また、下側の分割ハウジング３０の３方を囲む外壁部３１の端部の内側よりの位置に、上記嵌合凸部２２が嵌合可能な凹条状の嵌合凹部３２が形成されている。ここでは、嵌合凹部３２は、外壁部３１の端部の内側部分を略Ｌ字状に切り欠いた凹溝状に形成されている。
【００５３】
そして、両分割ハウジング２０，３０を合体させると、上記嵌合凸部２２が嵌合凹部３２に嵌合するようになっている。
【００５４】
なお、両分割ハウジング２０，３０に、外壁部２１，３１とは別の箇所に、互いに嵌合し合う嵌合凸部及び嵌合凹部を形成してもよい。
【００５５】
また、上記嵌合凸部２２及び嵌合凹部３２のそれぞれに、それらの嵌合状態で接触し合う一対の接点部２５，３５が少なくとも一組（ここでは複数組）形成されている。
【００５６】
各接点部２５，３５は、導電性部分であり、上記回路パターン２４，３４に電気的に接続されている。このような各接点部２５，３５は、上記回路パターン２４，３４と同様に、金属メッキ等で形成される。
【００５７】
また、本実施形態では、各接点部２５，３５は、次の態様にて、嵌合凸部２２及び嵌合凹部３２の表面に形成されている。
【００５８】
すなわち、上記嵌合凸部２２及び嵌合凹部３２は、それらの嵌入方向に沿って延在し、それらの嵌入に際して互いに摺接し合うように形成された接触面２２ａ，３２ａを有している。そして、接点部２５，３５は、これらの接触面２２ａ，３２ａに形成されている。
【００５９】
より具体的には、上側の分割ハウジング２０では、嵌合凸部２２の外向き面が接触面２２ａとされている。そして、上側の分割ハウジング２０の外壁部２１の内面に適宜回路パターン２４が形成されており、この回路パターン２４から嵌合凸部２２の先端面を経由して接触面２２ａに至る部分に、接点部２５が形成されている。
【００６０】
また、下側の分割ハウジング３０では、嵌合凹部３２の内向き面が接触面３２ａとされている。そして、下側の分割ハウジング３０の外壁部３１の内面に適宜回路パターン３４が形成されており、この回路パターン３４から嵌合凹部３２の底面を経由して接触面３２ａに至る部分に、接点部３５が形成されている。
【００６１】
そして、嵌合凸部２２を嵌合凹部３２内に嵌合させるようにして、両分割ハウジング２０，３０を合体させると、両接触面２２ａ，３２ａが接触状態に配設されて、両接点部２５，３５が接触する。これにより、各分割ハウジング２０，３０に形成された所定の回路パターン２４，３４同士が接点部２５，３５を介して電気的に接続されるようになる。
【００６２】
なお、各接点部２５，３５はコネクタハウジング１２の外面に露出しない位置に形成されていることが好ましい。本実施形態では、外壁部２１，３１の各端部の内側よりの位置に形成された嵌合凸部２２及び嵌合凹部３２に、接点部２５，３５を形成することで、これを実現している。
【００６３】
このような通信機能付コネクタ装置１０は、例えば、次のようにして製造される。
【００６４】
すなわち、各分割ハウジング２０，３０をモールド成型等で形成した後、該各分割ハウジング２０，３０の内面、嵌合凸部２２、嵌合凹部３２に金属メッキ等で回路パターン２４，３４及び接点部２５，３５を形成し、さらに、各電子部品１６を実装する。また、分割ハウジング２０，３０に対して端子部の組込みや接続ケーブル４の組込みを行う。
【００６５】
そして、各分割ハウジング２０，３０の周囲３方で、嵌合凸部２２を嵌合凹部３２内に嵌合させるようにして、両分割ハウジング２０，３０を合体させる。すると、嵌合凸部２２と嵌合凹部３２との嵌合部分で、両接点部２５，３５が接触する。これにより、各分割ハウジング２０，３０に形成された所定の回路パターン２４，３４同士が接点部２５，３５を介して電気的に接続されるようになる。このようにして、通信機能付コネクタ装置１０の組立てが完了する。
【００６６】
なお、両分割ハウジング２０，３０の合体形態は、周知の係合構造や、タッピングねじ等のねじを用いた構成により、保持するとよい。
【００６７】
以上のように構成された通信機能付コネクタ装置１０によると、各分割ハウジング２０，３０に、その合体形態で嵌合し合う嵌合凸部２２及び嵌合凹部３２が形成されると共に、これら嵌合凸部２２及び嵌合凹部３２のそれぞれに、それらの嵌合状態で接触し合う一対の接点部２５，３５が形成され、その合体形態で、嵌合凸部２２と嵌合凹部３２とが嵌合し合って、一対の接点部２５，３５同士が接触することにより、各分割ハウジング２０，３０の回路パターン２４，３４同士が電気的に接続される。このため、ＦＦＣ等の配線材を用いることなく回路パターン同士を接続できる。これにより、小型化を図ることができ、また、接点部２５，３５は嵌合構造内に組込まれるため、その接続部分が剥き出しとなるのを防止できる。
【００６８】
また、嵌合凸部２２及び嵌合凹部３２が、各分割ハウジング２０，３０の外壁部２１，３１の端部に形成されているため、各分割ハウジング２０，３０の外壁部２１，３１の端部の接合構造を利用して、各分割ハウジング２０，３０に形成された回路パターン２４，３４同士を電気的に接続することができ、構成の簡易化に貢献する。
【００６９】
さらに、嵌合凸部２２及び嵌合凹部３２は、それらの嵌入方向に沿って延在し、それらの嵌入に際して互いに摺接し合うように形成された接触面２２ａ，３２ａを有しており、一対の接点部２５，３５が、それら各接触面２２ａ，３２ａに形成されているため、それら一対の接点部２５，３５の電気的な接触を確実にすることができる。
【００７０】
図７及び図８は、第１変形例を示す図である。
【００７１】
この変形例では、一方側の接点部３５が、突起状部分１３５ａを有している。
【００７２】
この突起状部分１３５ａは、例えば、接触面３２ａ自体に凸部を形成し、この凸部を覆うように膜状に金属メッキ等で接点部３５を形成することにより、或は、接点部３５の膜厚を部分的に大きくすることにより、形成される。
【００７３】
このように接点部３５が突起状部分１３５ａを有していると、接点部２５と、接点部３５側の接点部３５とが比較的大きな接圧でもって接触するため、両者の電気的な接続信頼性を高めることができる。
【００７４】
なお、図９に示す第２変形例のように、接点部３５に複数の突起状部分２３５ａを形成してもよい。
【００７５】
また、このような突起状部分１３５ａ，２３５ａは、接点部２５，３５のうち少なくとも一方側に形成されていればよい。
【００７６】
なお、突起状部分１３５ａ，２３５ａが接触する部分側に、突起状部分１３５ａ，２３５ａよりも小さな凹部が形成されていてもよい。
【００７７】
図１０は、第３変形例を示す図である。
【００７８】
この変形例では、外壁部２１の端部の厚み方向中間部に、突条状の嵌合凸部３２２が形成されると共に、外壁部３１の端部の厚み方向中間部に、上記嵌合凸部３２２を嵌合可能な凹溝状の嵌合凹部３３２が形成されている。
【００７９】
そして、嵌合凸部３２２の内向き面が、その嵌入方向に沿って延びる接触面３２２ａとされると共に、嵌合凹部３３２の外向き面が前記嵌入方向に沿って延びる接触面３３２ａとされており、嵌合凸部３２２と嵌合凹部３３２との嵌合により、これら両接触面３２２ａ，３３２ａが摺接し合うようなっている。
【００８０】
また、外壁部２１の内面の回路パターン２４から、外壁部２１の端部内側部分を経由して接触面３２２ａに至る部分に接点部３２５が形成されている。さらに、外壁部３１の内面側の回路パターン３４から、外壁部３１の端部内側部分を経由して接触面３３２ａに至る部分に接点部３３５が形成されている。
【００８１】
そして、嵌合凸部３２２を嵌合凹部３３２に嵌合させるようにして、両分割ハウジング２０，３０を合体させると、嵌合凸部３２２と嵌合凹部３３２との嵌合部分間で、接点部３２５，３３５同士が接触し合う。これにより、各回路パターン２４，３４同士が電気的に接続されるようになる。
【００８２】
この第３変形例では、突条状の嵌合凸部３２２が、凹溝状の嵌合凹部３３２に嵌合される構成であるため、外壁部２１，３１同士がその厚み方向に位置ずれし難く、従って、上記接点部３２５，３３５同士の接触がより確実に保たれるという利点がある。
【００８３】
また、上記実施形態及び第１〜第３変形例では、外壁部２１，３１の端部の延在方向に沿って嵌合凸部２２，３２２や嵌合凹部３２，３３２を形成した構成について説明したが、かかる構成に限られない。
【００８４】
例えば、図１１及び図１２に示す第４変形例では、外壁部２１の端部に、適宜間隔をあけて柱状（ここでは円柱状）の嵌合凸部４２２を複数形成すると共に、外壁部３１の端部に各嵌合凸部４２２が嵌合可能な円穴状の嵌合凹部４３２を複数形成している。
【００８５】
また、これらの嵌合凸部４２２，嵌合凹部４３２の表面に、金属メッキ等で、導電性膜状の接点部４２５，４３５が形成されると共に、各接点部４２５，４３５が各回路パターン２４，３４に電気的に接続されている。
【００８６】
そして、各嵌合凸部４２２を対応する各嵌合凹部４３２に嵌合させると、その表面の接点部４２５，４３５同士が接触する。これにより、各回路パターン２４，３４同士が電気的に接続される。
【００８７】
かかる第４変形例の他、外壁部２１，３１の端部の延在方向における所定部位に、例えば、略Ｖ字状等の切込み状の嵌合凹部及びこれに嵌合する嵌合凸部を形成した構成であってもよい。
【００８８】
図１３及び図１４に示す第５変形例は、中継嵌合部材５５０を介して回路パターン２４，３４同士を接続する例を示している。
【００８９】
すなわち、本第５変形例では、上記実施形態のように、各分割ハウジング２０，３０に、嵌合凸部２２及び嵌合凹部３２を形成する代りに、各分割ハウジング２０，３０に一対の嵌合凹部５２２，５３２を形成すると共に、その一対の嵌合凹部５２２，５３２に嵌合する中継嵌合部材５５０を用いている。
【００９０】
すなわち、外壁部２１，３１の端部に、適宜間隔をあけて円穴状の嵌合凹部５２２，５３２が複数形成されている。この嵌合凹部５２２，５３２の表面には、金属メッキ等で、導電性膜状の接点部５２５，５３５が形成されており、この各接点部５２５，５３５は、各回路パターン２４，３４に電気的に接続されている。
【００９１】
また、中継嵌合部材５５０は、上記各嵌合凹部５２２，５３２に嵌合可能に形成された部材であり、ここでは、各端部がそれぞれ各嵌合凹部５２２，５３２に嵌合可能な略円柱状に形成されている。この中継嵌合部材５５０の表面には、金属メッキ等で、導電性を持つ膜状の中継接点部５５２が形成されている。
【００９２】
そして、中継嵌合部材５５０の一端部を、一方側の嵌合凹部５２２内に嵌合すると共に、中継嵌合部材５５０の他端部を他方側の嵌合凹部５３２内に嵌合するようにして、両分割ハウジング２０，３０を合体させる。すると、中継嵌合部材５５０の中継接点部５５２が、嵌合凹部５２２，５３２側の接点部５２５，５３５にそれぞれ接触する。これにより、各回路パターン２４，３４同士が、一対の接点部５２５，５３５及び中継接点部５５２を介して電気的に接続される。
【００９３】
かかる第５変形例によっても、上記実施形態と同様の効果を得ることができる。
【００９４】
図１５は、単一の中継嵌合部材６５０に複数の接続構造を持たせた第６変形例を示している。
【００９５】
すなわち、この第６変形例では、上記中継嵌合部材５５０に対応する中継嵌合部材６５０の外周側面に、その周方向に沿って適宜間隔をあけて複数（ここでは４つ）の中継接点部６５２を金属メッキ等で形成している。各中継接点部６５２は、中継嵌合部材５５０の軸方向（嵌入方向）に沿って延びる線状に形成されている。
【００９６】
ここでは、中継嵌合部材６５０の外周側面に、その軸方向に沿って延びる複数の突条部６５１が形成されており、各突条部６５１は、中継嵌合部材６５０の周方向に沿って適宜間隔をあけた位置に形成されている。そして、上記各中継接点部６５２は、各突条部６５１の表面に形成されている。
【００９７】
また、この中継嵌合部材６５０の一端部（下端部）が嵌合する嵌合凹部６３２の内周側面に、その周方向に沿って適宜間隔をあけて複数（ここでは４つ）の接点部６３５が金属メッキ等で形成されている。各接点部６３５は、嵌合凹部６３２の軸方向（嵌入方向）に沿って延びる線状に形成されている。
【００９８】
ここでは、嵌合凹部６３２の内周側面であって、上記各突条部６５１に対応する位置に、その軸方向（嵌入方向）に沿って延びる複数の凹溝部６３３が形成されており、各凹溝部６３３の表面に、各接点部６３５が形成されている。この各接点部６３５は、それぞれ別々の回路パターン３４に接続されている。
【００９９】
なお、中継嵌合部材６５０の他端部（上端部）が嵌合する部分についても、上記嵌合凹部６３２と同様構成とされている。
【０１００】
この第６変形例では、各突条部６５１を各凹溝部６３３内に嵌め込むようにして、中継嵌合部材６５０の端部を嵌合凹部６３２に嵌合させると、各接点部６３５が対応する中継接点部６５２に、それぞれ別々に電気的に接続される。このため、単一の嵌合構造でもって、複数の回路パターン２４，３４同士を接続できる。
【０１０１】
なお、上記各実施形態及び各変形例は、適宜組合わせ可能である。例えば、第５変形例に、第３変形例又は第４変形例を適用して、一対の接点部５２５，５３５及び中継接点部５５２に、上記突起状部分１３５ａ，２３５ａと同様構成の突起状部分を形成してもよい。
【０１０２】
また、第４変形例に、第６変形例を適用して、単一の嵌合凸部４２２と単一の嵌合凹部４３２との嵌合により、複数の接点部の電気的な接触を図るようにしてもよい。
【図面の簡単な説明】
【０１０３】
【図１】この発明の実施形態に係る通信機能付コネクタ装置の第１適用例を示すシステム構成図である。
【図２】この発明の実施形態に係る通信機能付コネクタ装置の第２適用例を示すシステム構成図である。
【図３】同上の通信機能付コネクタ装置を示す斜視図である。
【図４】同上の通信機能付コネクタ装置の内部構成を示す図である。
【図５】各分割ハウジングの回路パターン同士の電気的な接続構造部分を示す斜視図である。
【図６】同上の電気的な接続構造部分を示す断面図である。
【図７】第１変形例に係る接点部を示す斜視図である。
【図８】同上の接点部を示す断面図である。
【図９】第２変形例に係る接点部を示す斜視図である。
【図１０】第３変形例に係る電気的な接続構造部分を示す斜視図である。
【図１１】第４変形例に係る電気的な接続構造部分を示す断面図である。
【図１２】同上の電気的な接続構造部分を示す斜視図である。
【図１３】第５変形例に係る電気的な接続構造部分を示す断面図である。
【図１４】同上の電気的な接続構造部分を示す斜視図である。
【図１５】第６変形例に係る電気的な接続構造部分を示す斜視図である。
【符号の説明】
【０１０４】
１０  通信機能付コネクタ装置
１２  コネクタハウジング
１６  電子部品
２０，３０  分割ハウジング
２１，３１  外壁部
２２  嵌合凸部
２２ａ，３２ａ  接触面
２４，３４  回路パターン
２５，３５  接点部
３２  嵌合凹部
１３５ａ，２３５ａ  突起状部分
３２２      嵌合凸部
３２２ａ，３３２ａ  接触面
３２５，３３５  接点部
３３２      嵌合凹部
４２２  嵌合凸部
４２５，４３５  接点部
４３２  嵌合凹部
５２２，５３２  嵌合凹部
５２５，５３５  接点部
５５０  中継嵌合部材
５５２  中継接点部
【図１】
2005339866.tif 000003
【図２】
2005339866.tif 000004
【図３】
2005339866.tif 000005
【図４】
2005339866.tif 000006
【図５】
2005339866.tif 000007
【図６】
2005339866.tif 000008
【図７】
2005339866.tif 000009
【図８】
2005339866.tif 000010
【図９】
2005339866.tif 000011
【図１０】
2005339866.tif 000012
【図１１】
2005339866.tif 000013
【図１２】
2005339866.tif 000014
【図１３】
2005339866.tif 000015
【図１４】
2005339866.tif 000016
【図１５】
2005339866.tif 000017